(57)【要約】本発明は、運動中に異物が流入することが防がれる機能性のユニフォームに関し、該ユニフォームは、上衣と下衣とが分離されたユニフォームにおいて、上衣は、サイドスリット部が配備された下方の非露出部と、サイドスリット部が配備されていない上方の露出部と、からなり、前記非露出部は、前記サイドスリット部を基準として後方に位置してユニフォームの着用の際に下衣の中に引き込まれる背面部と、前方に位置してユニフォームの着用の際に下衣の外側に位置する前面部と、からなり、前記前面部の上側には、下衣に配備されるベルト通しが上衣の表側に引き出されるように上下に長い引出溝が少なくとも２つ以上配備され、前記前面部の引出溝の下側には第１の固定手段が配備され、下衣には前記第１の固定手段に対応する第２の固定手段が配備されて、上衣の前面部のうち引出溝の下側が内側に畳まれた状態で第１の固定手段と第２の固定手段との間の締結または貼合により下衣に固定できるように構成されることを特徴とする。【選択図】図４
2019525018.tif 000002
【特許請求の範囲】
【請求項１】
上衣（１００）と下衣（２００）とが分離されたユニフォームにおいて、
上衣（１００）は、サイドスリット部（１３０）が配備された下方の非露出部（１２０）と、前記サイドスリット部（１３０）が配備されていない上方の露出部（１１０）と、からなり、前記非露出部（１２０）は、前記サイドスリット部（１３０）を基準として後方に位置してユニフォームの着用の際に下衣（２００）の中に引き込まれる背面部（１２２）と、前方に位置してユニフォームの着用の際に下衣（２００）の外側に位置する前面部（１２１）と、からなり、前記前面部（１２１）の上側には、下衣（２００）に配備されるベルト通し（２１０）が上衣（１００）の表側に引き出されるように上下に長い引出溝（１２１ａ）が少なくとも２つ以上配備され、前記前面部（１２１）の前記引出溝（１２１ａ）の下側には第１の固定手段（３２１）が配備され、下衣（２００）には前記第１の固定手段（３２１）に対応する第２の固定手段（３２２）が配備されて、上衣（１００）の前記前面部（１２１）のうち前記引出溝（１２１ａ）の下側が内側に畳まれた状態で前記第１の固定手段（３２１）と前記第２の固定手段（３２２）との間の締結または貼合により下衣（２００）に固定できるように構成されることを特徴とする異物流入防止ユニフォーム。
【請求項２】
前記サイドスリット部（１３０）の上部には、前記サイドスリット部（１３０）の長さを調節する調節ボタン（１３１）がさらに配備されていることを特徴とする請求項１に記載の異物流入防止ユニフォーム。
【請求項３】
前記前面部（１２１）には、前記引出溝（１２１ａ）を覆いながら上端が返し縫いにより前記前面部（１２１）に固定されるカバー部材（１４０）と、前記カバー部材（１４０）の下端が嵌まり込むスリット溝（１２１ｂ）と、がさらに配備されていることを特徴とする請求項１に記載の異物流入防止ユニフォーム。
【請求項４】
前記カバー部材（１４０）の内面の両側端と、これらに接する前記前面部（１２１）の前記引出溝（１２１ａ）の両側の周縁の外面には、貼り合わせられる面ファスナー（３３０）がそれぞれ配備されていることを特徴とする請求項３に記載の異物流入防止ユニフォーム。
【請求項５】
前記カバー部材（１４０）の下端の外面と、前記カバー部材（１４０）の下端とが前記スリット溝（１２１ｂ）に嵌まり込んだ後に接する前記前面部（１２１）の内面には、貼り合わせられる面ファスナー（３３０）がそれぞれ配備されていることを特徴とする請求項３に記載の異物流入防止ユニフォーム。
【発明の詳細な説明】
【技術分野】
【０００１】
本発明は、運動中に異物が流入することが防がれる機能性のユニフォームに関し、さらに詳しくは、運動場においてスライディングするときに、土や砂などの異物が内部に流入することが防がれるような構造を有するユニフォームに関する。
【背景技術】
【０００２】
一般に、ユニフォームは、上衣と下衣とが分離されており、上衣の下端を下衣の中に入れた後、下衣にベルトを着用することにより、運動をする間に上衣の下端が下衣からはみ出て運動に邪魔となることがないようにしている。
【０００３】
ところが、野球のようにスライディングを必要とする運動においては、ヘッドファーストスライディングのように上体からスライディングをすると、上衣の下端が中に引き込まれる下衣の上端部分を介して土や砂などの異物が流入するため、ベルトを緩め、身だしなみを再び整えなければならないだけではなく、もし、そうするとしても、既に下衣の中に流入した異物を完全に取り除くことは決して容易ではなく、これは、運動選手をしてその競技に集中できないようにする要因として働いたりもする。
【０００４】
このような問題を解消するための方案が提示されているが、その例の一つとして、韓国公開実用新案公報の「砂の侵入を防止する運動用のユニフォーム」が提案されている。
【０００５】
上述した韓国公開実用新案第１９９９−００２１８５４号公報のユニフォームは、図１に示すように、上衣２０には腹部の上側部分に所定の長さで長く形成されたマジックファスナー（登録商標）２２が横に貼り付けられ、下衣３０には腹部の下側部分の両側にマジックファスナー３２が貼り付けられ、前記上／下のマジックファスナー２２、３２に、後方の上側端と下側端の両側にマジックファスナー１２、１４が貼り付けられた補助パッド１０が取り付けられるように構成されている。図１に示すように、韓国実用新案出願第１９９９−００２１８５４号に開示されているような従来のユニフォームは、胃の上面に対応する上面２０に横方向に取り付けられた長いマジックファスナー２２、両側に取り付けられたマジックファスナー３２を含む。 また、マジックファスナー１２、１４を背面の上端部と下端部の両側に貼り付けるように取り付けられた補助帯１０が、胃の下側に対応する底部３０に固定されている。 マジックファスナー２２と３２。
【０００６】
したがって、前記のユニフォームは、補助パッド１０が上衣２０と下衣３０との境界部分を覆うため、選手がヘッドスライディングをするとしても、下衣３０の中に砂などが浸入することができなくなる。
【０００７】
しかしながら、上記のユニフォームは、スライディングに際して摩擦力によりマジックファスナーの貼合が解除される恐れがあるだけではなく、マジックファスナーの内部への砂などの異物の混入を防ぐことができないため、マジックファスナーの貼合力が次第に弱くなるという問題がある。
【０００８】
他の従来の技術が、韓国公開実用新案第１９９８−０５９４５８号公報の「野球服」という名称で提案されており、これは、図２に示すように、上衣１と下衣２とからなる通常の野球服Ａにおいて、前記上衣１と下衣２を着用するときに下衣２の上側に位置する上衣１には横方向に上衣１の前面をカバーすることができ、下側には下衣２の腰ベルト３以下の部分をカバーすることのできるカバー部材４の上側部４ａのみを上衣１に横方向に固定し、前記カバー部材４の内面の下側とこの対応部である下衣２の腰ベルト通し部５には面ファスナー（ベルクロ（登録商標））などの着脱手段６を貼り付けるように構成している。
【０００９】
ところが、上述した韓国公開実用新案第１９９８−０５９４５８号公報の「野球服」もまた、カバー部材４をして上衣１と下衣２との境界部位を覆わせることにより、土や砂などの異物が下衣２の中に浸透できないようにするものであるため、上述した韓国公開実用新案第１９９９−００２１８５４号公報のユニフォームとはこれといった相違点がなく、それに伴う上述した問題もまた依然として抱えている。
【００１０】
これとともに、上述した従来の技術は、両方ともユニフォームの前面に別途の補助パッド若しくはカバー部材という外皮が付加的に貼り付けられるものであるため、ベルトにより仕上げられてきちんとした身だしなみやすんなりとした身だしなみを有することができなくなる。
【先行技術文献】
【特許文献】
【００１１】
【特許文献１】韓国公開実用新案１９９９−００２１８５４号公報
【特許文献２】韓国公開実用新案１９９８−０５９４５８号公報
【発明の概要】
【発明が解決しようとする課題】
【００１２】
本発明は、従来の技術の上述した問題を解消するためのものであり、ベルトにより身だしなみが仕上げられながらも、選手がヘッドファーストスライディングをするときに、土や砂などの異物の流入が完璧に遮断され、繰り返し行われるスライディングにもかかわらず、異物の遮断機能が低下しない異物流入防止ユニフォームを提供するところにその目的がある。
【課題を解決するための手段】
【００１３】
上述した課題を解決するための本発明の最も好適な実施形態によれば、上衣と下衣とが分離されたユニフォームにおいて、上衣は、サイドスリット部が配備された下方の非露出部と、サイドスリット部が配備されていない上方の露出部と、からなり、前記非露出部は、前記サイドスリット部を基準として後方に位置してユニフォームの着用の際に下衣の中に引き込まれる背面部と、前方に位置してユニフォームの着用の際に下衣の外側に位置する前面部と、からなり、前記前面部の上側には、下衣に配備されるベルト通し（ベルトループ、ベルトの輪っか）が上衣の表側に引き出されるように上下に長い引出溝が少なくとも２つ以上配備され、前記前面部の引出溝の下側には第１の固定手段が配備され、下衣には前記第１の固定手段に対応する第２の固定手段が配備されて、上衣の前面部のうち引出溝の下側が内側に畳まれた状態で第１の固定手段と第２の固定手段との間の締結または貼合により下衣に固定できるように構成されることを特徴とする異物流入防止ユニフォームが提供される。
【００１４】
本発明の他の実施形態によれば、前記サイドスリット部の上部にはサイドスリット部の長さを調節する調節ボタンがさらに配備されていることを特徴とする異物流入防止ユニフォームが提供される。
【００１５】
本発明のさらに他の実施形態によれば、前記前面部には、引出溝を覆いながら上端が返し縫いにより前面部に固定されるカバー部材と、カバー部材の下端が嵌まり込むスリット溝と、がさらに配備されていることを特徴とする異物流入防止ユニフォームが提供される。このとき、前記カバー部材の内面の両側端と、これらに接する前面部の引出溝の両側の周縁の外面には、貼り合わせられる面ファスナーをそれぞれ配備してもよく、前記カバー部材の下端の外面と、前記カバー部材の下端とがスリット溝に嵌まり込んだ後に接する前面部の内面には、貼り合わせられる面ファスナーをそれぞれ配備してもよい。
【発明の効果】
【００１６】
本発明は、サイドスリット部を用いて上衣の前面部と背面部を下衣の内外に異ならせて位置させることができて、ベントレッグスライディングとヘッドファーストスライディングの両方に対して異物がユニフォーム内に流入することを防ぐことができるだけではなく、上衣と下衣がベルトにより一緒に固定され、上衣の前面部の下側が内側に畳まれて下衣に固定されるので、すんなりとした身だしなみが崩れ難いので、選手が競技に集中することが可能になる。
【００１７】
また、本発明は、下衣の上部を上衣の前面部で覆った状態で、下衣のベルト通しに嵌め込まれるベルトで固定するので、繰り返し行われるスライディングにもかかわらず、下衣の上部を上衣の前面部で覆った状態がそのまま維持されて異物の遮断機能が持続的に保たれる。
【図面の簡単な説明】
【００１８】
【図１】従来の技術による砂の侵入を防ぐ運動用ユニフォームの実施形態を示す斜視図である。
【図２】他の従来の技術による野球服の実施形態を示す斜視図である。
【図３】本発明の一実施形態によるユニフォームを着用した状態の正面と側面を示す各斜視図である。
【図４】本発明の前記ユニフォームを上衣と下衣とに分離した正面図である。
【図５】本発明のユニフォームを着用する過程の一部分を示す部分正面図である。
【図６】本発明の他の実施形態によるユニフォームの構造を説明するための一部の構成の正面図である。
【図７】本発明の他の実施形態によるユニフォームの構造を説明するための一部の構成の断面図である。
【図８】本発明のユニフォームの上衣の前面部を固定する手段の一実施形態を示す正面図及び側面図である。
【発明を実施するための形態】
【００１９】
本発明は、運動中に異物が流入することが防がれる機能性のユニフォームに関し、該ユニフォームは、上衣と下衣とが分離されたユニフォームにおいて、上衣は、サイドスリット部が配備された下方の非露出部と、サイドスリット部が配備されていない上方の露出部と、からなり、前記非露出部は、前記サイドスリット部を基準として後方に位置してユニフォームの着用の際に下衣の中に引き込まれる背面部と、前方に位置してユニフォームの着用の際に下衣の外側に位置する前面部と、からなり、前記前面部の上側には、下衣に配備されるベルト通しが上衣の表側に引き出されるように上下に長い引出溝が少なくとも２つ以上配備され、前記前面部の引出溝の下側には第１の固定手段が配備され、下衣には前記第１の固定手段に対応する第２の固定手段が配備されて、上衣の前面部のうち引出溝の下側が内側に畳まれた状態で第１の固定手段と第２の固定手段との間の締結または貼合により下衣に固定できるように構成されるものとする。
【００２０】
以下では、添付図面に基づいて、本発明の実施形態を詳細に説明する。
【００２１】
しかしながら、本発明を説明するに当たって、公知の構成を具体的に説明することにより本発明の技術的思想を曖昧にするか、あるいは、不明瞭にする場合には、上記の公知の構成についての説明を省略する。
【００２２】
図３は、本発明の一実施形態によるユニフォームを着用した状態の正面と側面を示す各斜視図であり、図４は、前記ユニフォームの上衣１００と下衣２００を分離してこれらをそれぞれ正面から眺めたものである。
【００２３】
本発明のユニフォームは、図４に示すように、上衣１００と下衣２００とが分離されるものであり、上衣１００は、下衣２００の中に引き込まれるか、あるいは、畳まれて表側に露出しない下方の非露出部１２０と、下衣２００の上部に位置する上方の露出部１１０と、からなる。
【００２４】
また、前記非露出部１２０には、切り目が長く引き込まれるサイドスリット部１３０が配備されるが、前記サイドスリット部１３０は、上衣１００の両側面、つまり、脇腹側に位置することにより、前記非露出部１２０は、サイドスリット部１３０を基準として前方に位置する前面部１２１と後方に位置する背面部１２２とに分けられる。
【００２５】
前記背面部１２２は、ユニフォームの着用時の通常のユニフォームの着用方法と同様に、下衣２００の中に引き込まれ、その状態で下衣２００に配備されたベルト通し２１０にベルト３１０が嵌め込まれる。
【００２６】
これに対し、非露出部１２０の前面部１２１は、ユニフォームの着用の際に下衣２００の外側に位置し、且つ、選手がヘッドファーストスライディングをするときに土や砂などの異物が下衣２００の中に流入することを防ぐ。
【００２７】
このように、サイドスリット部１３０は、上衣１００の前面部１２１と背面部１２２とを下衣２００の内外に互いに異ならせて位置させることができて、脚から尻に向かって地面を滑るベントレッグスライディング、及び頭から胸、腹に向かって地面を滑るヘッドファーストスライディングの両方ともに対してユニフォームの中への異物の流入の防止を可能にする。
【００２８】
このようなサイドスリット部１３０は、着用者の身体的な特徴によってその長さが異なることがあり、サイドスリット部１３０の上部の終地点は、後述する引出溝１２１ａから引き出された下衣２００のベルト通し２１０の上端と一致させることが好ましい。したがって、前記サイドスリット部１３０の上部には、その長さを調節する調節ボタン１３１がさらに配備されてもよい。
【００２９】
他方で、非露出部１２０の前面部１２１には、上側に上下に長い引出溝１２１ａが少なくとも２以上配備される。前記の引出溝１２１ａは、下衣２００に配備されたベルト通し２１０が上衣１００の表側に引き出されるようにする。
【００３０】
このため、前記引出溝１２１ａの左右の幅は、ベルト通し２１０の幅よりも大きいか、あるいは、少なくともそれに等しい必要があり、着用者の身体的な特徴によりベルト３１０の上下の着用位置が異なってくることがあるため、前記引出溝１２１ａの上下の長さもまた、ベルト通し２１０の上下の長さよりも長くすることが好ましい。
【００３１】
図５は、上衣１００の前面部１２１を下衣２００とともに着用する過程を示すものであり、（ａ）は、下衣２００に配備されたベルト通し２１０が前記引出溝１２１ａを介して上衣１００の表側に引き出された様子を示すものであり、（ｂ）は、上記のように引出溝１２１ａを介して上衣１００の表側に引き出されたベルト通し２１０にベルト３１０をはめ込む様子を示すものである。
【００３２】
このように、下衣２００の上部は、上衣１００の前面部１２１により覆われた状態でベルト３１０により締められるため、たとえ選手がヘッドファーストスライディングをするとしても、土や砂などの異物が下衣２００の中に流入する余地が全くない。
【００３３】
一方で、上述したように、引出溝１２１ａの上下の長さが、ベルト通し２１０の上下の長さよりも長く構成される場合、着用者の様々な身体的特徴に対して汎用的に適用することができるというメリットがあるのに対し、これらの間の過度な長さ差は見栄えを悪くする要因になる可能性があるだけではなく、引っ掛かりにより前記引出溝１２１ａの部位が引きちぎれてユニフォームの耐久性を低下させる要因になる可能性もあるため、本発明の他の実施形態においては、前記引出溝１２１ａを保護するカバー部材１４０がさらに配備されてもよい。
【００３４】
図６は、前記カバー部材１４０が配備されたユニフォーム上衣１００を示すものであり、（ａ）は、前記カバー部材１４０が配備された状態を示すものであり、（ｂ）は、カバー部材１４０が配備されたユニフォームにベルト３１０が締められた状態を示すものである。
【００３５】
前記カバー部材１４０は、引出溝１２１ａを覆うように引出溝１２１ａよりも大きく構成されるものであり、上端は返し縫いにより前面部１２１に固定されるが、下端は前面部１２１に自由に着脱されるような構造を有する。
【００３６】
上記の着脱構造は種々の実施形態を有することができるが、好ましくは、前面部１２１の引出溝１２１ａの下部側にスリット溝１２１ｂを配設し、前記カバー部材１４０の下端が前記スリット溝１２１ｂに嵌まり込むことにより固定されるような構造を有する。
【００３７】
前記スリット溝１２１ｂに嵌まり込んだカバー部材１４０の下端は、その長さを長くして、後述するように、前面部１２１の引出溝１２１ａの下側が中に畳まれるときに一緒に畳まれながら、カバー部材１４０の下端の嵌まり込み状態が保たれるようにしてもよく、他の実施形態によれば、図７に示すように、前記スリット溝１２１ｂに嵌まり込むカバー部材１４０の下端の外面と、前記カバー部材１４０の下端がスリット溝１２１ｂに嵌入した後に接する前面部１２１の内面とには貼り合わせられる面ファスナー３３０をそれぞれ配設して、これらによりカバー部材１４０の下端がスリット溝１２１ｂから抜脱し難いようにする。
【００３８】
また、前記カバー部材１４０の内面の両側端と、これらに接する前面部１２１の引出溝１２１ａの両側の周縁の外面には、貼り合わせられる面ファスナー３３０をそれぞれ配設して、引出溝１２１ａのうちベルト３１０が通過する部分を除く残りの部分を閉塞することにより、これらの間を介して異物が流入することを防いでもよい。
【００３９】
図５の（ｂ）に示すように、上衣１００の前面部１２１の外側に単にベルト３１０が占められるだけでは、前面部１２１の下部は固定されず、ばたつきながら敏捷な行動を妨げる要因になる恐れがあるため、前記前面部１２１の引出溝１２１ａの下側は畳まれて下衣２００に固定できるようにする。
【００４０】
このために、図８に示すように、前面部１２１の引出溝１２１ａの下側には第１の固定手段３２１が配備され、下衣２００にも前記第１の固定手段３２１に対応する第２の固定手段３２２が配備される。
【００４１】
前記第１の固定手段３２１は、上衣１００の前面部１２１のうち引出溝１２１ａの下側を畳む状態で下衣２００に配備された第２の固定手段３２２と締結または貼合されるようにするものであり、これらの第１及び第２の固定手段３２１、３２２は、ボタンの方式で構成されてもよく、面ファスナーの方式で構成されてもよい。
【００４２】
以上、本発明を具体的な実施形態を参照して詳細に説明したが、これらの実施形態は本発明の理解への一助となるための例示に過ぎないものであり、この分野において通常の知識を有する者であれば、本発明の技術的な思想の範囲内においてこれらを種々に変形して実施することができるということはいうまでもない。よって、これらの変形例は特許請求の範囲に記載されたところにより本発明の権利範囲に属するものであるといえる。
【産業上の利用可能性】
【００４３】
本発明は、運動中に異物が流入することが防がれる機能性のユニフォームに関し、産業上の利用可能性がある発明であるといえる。
【図１】
2019525018.tif 000003
【図２】
2019525018.tif 000004
【図３（ａ）】
2019525018.tif 000005
【図３（ｂ）】
2019525018.tif 000006
【図４】
2019525018.tif 000007
【図５（ａ）】
2019525018.tif 000008
【図５（ｂ）】
2019525018.tif 000009
【図６（ａ）】
2019525018.tif 000010
【図６（ｂ）】
2019525018.tif 000011
【図７（ａ）】
2019525018.tif 000012
【図７（ｂ）】
2019525018.tif 000013
【図８（ａ）】
2019525018.tif 000014
【図８（ｂ）】
2019525018.tif 000015
【国際調査報告】
2019525018.tif 000016
2019525018.tif 000017
2019525018.tif 000018
2019525018.tif 000019